(57)【特許請求の範囲】
【請求項１】
ポジションに基づく触覚的報告のためのコンピュータ実行方法であって、
パーソナルデジタルアシスタントでメッセージを受信することであって、前記メッセージはテキストメッセージ、電子メールメッセージ、ボイスメールメッセージのうちの少なくとも一つである、受信することと、
前記パーソナルデジタルアシスタントでメッセージが受信されたことを示すために、パーソナルデジタルアシスタントのステータスを変化させることと、
前記パーソナルデジタルアシスタントでの前記メッセージ受信のステータスへの変化に応答して、バイアスエレメントを解除し、かつ触覚的エレメントを第１のポジションから第２のポジションに移動させるために、アクチュエータを作動させることと、
ステータスの変化を示すために前記触覚的エレメントを前記第２のポジションに偏向的に保持することであって、前記触覚的エレメントは、前記バイアスエレメントに勝る力を受けると、前記第２のポジションから前記第１のポジションに移動可能である、保持すること
前記パーソナルデジタルアシスタントで電話呼び出しを受けることと、
前記パーソナルデジタルアシスタントで電話呼び出しを受けたことを示すために、パーソナルデジタルアシスタントのステータスを変化させることと、
前記パーソナルデジタルアシスタントでの前記電話呼び出しのステータスへの変化に応答して、前記第１のポジションおよび前記第２のポジションとは異なる第３のポジションに前記触覚的エレメントを移動させるためにアクチュエータを作動させること、
ステータスの変化を示すために前記触覚的エレメントを前記第３のポジションに偏向的に保持することであって、前記触覚的エレメントは、前記バイアスエレメントに勝る力を受けると、前記第３のポジションから前記第１のポジションに移動可能である、保持することを含み、
前記触覚的エレメントは、キー、ボタン、ソフトキー、アンテナ、および方向パッドのうちの少なくとも１つを含むことを特徴とするコンピュータ実行方法。
【請求項２】
前記アクチュエータは、機械的アクチュエータ、電気的アクチュエータ、磁気的アクチュエータ、およびサーボ機構のうちの少なくとも１つを含むことを特徴とする請求項１に記載のコンピュータ実行方法。
【請求項３】
前記触覚的エレメントは、内側および外側のポジションと、上側および下側のポジションとのうちの少なくとも１つの間を移動可能であることを特徴とする請求項１に記載のコンピュータ実行方法。
【請求項４】
前記アクチュエータ、前記バイアスエレメント、および前記触覚的エレメントは、前記メッセージを受信するパーソナルデジタルアシスタントとは異なる装置に配置されることを特徴とする請求項１に記載のコンピュータ実行方法。
【請求項５】
ポジションに基づく触覚的報告を提供するためのコンピュータ実行可能命令を記録したコンピュータ可読記録媒体であって、該命令は、
モバイルコンピューティング装置でメッセージを受信することと、
前記モバイルコンピューティング装置でメッセージが受信されたことを示すために、モバイルコンピューティング装置のステータスを変化させることと、
前記モバイルコンピューティング装置での前記メッセージ受信のステータスへの変化に応答して、バイアスエレメントを解除し、かつ触覚的エレメントを第１のポジションから第２のポジションに移動させるために、アクチュエータを作動させることと、
ステータスの変化を示すために前記触覚的エレメントを前記第２のポジションに偏向的に保持することであって、前記触覚的エレメントは、前記バイアスエレメントに勝る力を受けると、前記第２のポジションから前記第１のポジションに移動可能である、保持することと、
前記モバイルコンピューティング装置で電話呼び出しを受けることと、
前記モバイルコンピューティング装置で電話呼び出しを受けたことを示すために、モバイルコンピューティング装置でのステータスを変化させることと、
前記モバイルコンピューティング装置での前記電話呼び出しの前記ステータスへの変化に応答して、前記第１のポジションおよび前記第２のポジションとは異なる第３のポジションに前記触覚的エレメントを移動させるためにアクチュエータを作動させること、
ステータスの変化を示すために前記触覚的エレメントを前記第３のポジションに偏向的に保持することであって、前記触覚的エレメントは、前記バイアスエレメントに勝る力を受けると、前記第３のポジションから前記第１のポジションに移動可能である、保持することを含み、
前記触覚的エレメントは、キー、ボタン、ソフトキー、アンテナ、および方向パッドのうちの少なくとも１つを含むことを特徴とするコンピュータ可読記録媒体。
【請求項６】
前記アクチュエータは、機械的アクチュエータ、電気的アクチュエータ、磁気的アクチュエータ、およびサーボ機構のうちの少なくとも１つを含むことを特徴とする請求項５に記載のコンピュータ可読記録媒体。
【請求項７】
前記触覚的エレメントは、内側および外側のポジションと上側および下側のポジションとのうちの少なくとも１つの間を移動可能であることを特徴とする請求項５に記載のコンピュータ可読記録媒体。
【請求項８】
前記アクチュエータ、前記バイアスエレメント、および前記触覚的エレメントは、前記メッセージを受信するモバイルコンピューティング装置とは異なる装置に配置されることを特徴とする請求項５に記載のコンピュータ可読記録媒体。
【請求項９】
前記メッセージは、テキストメッセージ、電子メールメッセージ、ステータスメッセージ、内部コンピューティング装置メッセージのうちの少なくとも一つであることを特徴とする請求項５に記載のコンピュータ可読記録媒体。
【請求項１０】
ポジションに基づく触覚的報告のためのコンピュータ実行方法であって、
第１のコンピューティング装置においてメッセージを受信したことを第２のモバイル装置で検出することであって、前記メッセージはテキストメッセージ、電子メールメッセージ、およびボイスメールメッセージのうちの少なくとも１つである、検出することと、
前記第２のモバイル装置で検出したことに応答して、バイアスエレメントを解除し、かつ触覚的エレメントを第１のポジションから第２のポジションに移動させるために、前記第２のモバイル装置でアクチュエータを作動させることと、
ステータスの変化を示すために前記触覚的エレメントを前記第２のポジションに偏向的に保持することであって、前記触覚的エレメントは、前記バイアスエレメントに勝る力を受けると、前記第２のポジションから前記第１のポジションに移動可能である、保持することと、
前記第１のコンピューティング装置において電話呼び出しを受けたことを前記第２のモバイル装置で検出することと、
前記第２のモバイル装置で検出したことに応答して、バイアスエレメントを解除し、かつ前記第１のポジションおよび前記第２のポジションとは異なる第３のポジションに前記触覚的エレメントを移動させるために、前記第２のモバイル装置でアクチュエータを作動させること、
ステータスの変化を示すために前記触覚的エレメントを前記第３のポジションに偏向的に保持することであって、前記触覚的エレメントは、前記バイアスエレメントに勝る力を受けると、前記第３のポジションから前記第１のポジションに移動可能である、保持することを含み、
前記触覚的エレメントは、キー、ボタン、ソフトキー、アンテナ、および方向パッドのうちの少なくとも１つを含むことを特徴とするコンピュータ実行方法。
【請求項１１】
前記アクチュエータは、機械的アクチュエータ、電気的アクチュエータ、磁気的アクチュエータ、およびサーボ機構のうちの少なくとも１つを含むことを特徴とする請求項１０に記載のコンピュータ実行方法。
【請求項１２】
前記触覚的エレメントは、内側および外側のポジションと上側および下側のポジションとのうちの少なくとも１つの間を移動可能であることを特徴とする請求項１０に記載のコンピュータ実行方法。
【発明の詳細な説明】
【技術分野】
【０００１】
本発明は、ポジションに基づく触覚的報告に関する。
【背景技術】
【０００２】
コンピューティング装置は、電子メール、テキストメッセージ、ボイスメールおよび／または電話呼び出しなどのメッセージのステータス（状態）を提供し得る。コンピューティング装置は、いくらかの他の様態（例えば、バッテリ低下、信号強度など）もまた備え得る。このようなステータスを報告するために、コンピューティング装置は、聴覚的報告、視覚的報告および／または振動的報告を提供し得る。これらの報告のタイプは、多くの環境で社会的に不適切である。聴覚的、振動的報告は、耳障りで、気を散らすものである。視覚的報告は、ユーザが視覚的報告についてコンピュータをチェックすることを強いる（しばしば不適切な時間に）。
【発明の開示】
【発明が解決しようとする課題】
【０００３】
これらの報告のタイプは、多くの環境において、不適切でもあり得る。聴覚的報告は、大きなノイズが背景にあると聞こえ得ない。コンピューティング装置がユーザと接触しない場合は、振動的報告は気付かれ得ず、ユーザがコンピューティング装置を見ることが出来ない場合、視覚的報告は役に立たない。
【課題を解決するための手段】
【０００４】
この課題を解決するための手段の記載は、以下の詳細な説明にさらに記載されるコンセプトの選択を簡単な形で紹介するよう提供される。この課題を解決するための手段の記載は、特許請求の範囲に記載された主題のキーおよび／または必須の特徴を意図していない。また、この課題を解決するための手段の記載は、特許請求の範囲に記載された主題の範囲を限定することを意図していない。
【０００５】
ポジションに基づく触覚的報告（tactile reporting）は、適切で社会的に許容されるステータス報告を提供する。触覚的エレメント(tactile element)は、第１のポジションから第２のポジションに移動されることによって、新しいステータスを示す。触覚的エレメントは第２のポジションで保持され、その結果、触覚的エレメントを触れて第２のポジションを検出することで、新しいステータスを明らかにする。また、触覚的エレメントは、新しいステータスを明らかにするために振動してもよい。この方法で、ユーザは、視覚的報告を示したりおよび／または聴覚的報告を示したりするコンピューティング装置を見ることなく、コンピューティング装置のステータスを検出し得る。さらに、ポジションに基づく触覚的報告は、報告周期をもたないだろう。したがって、ユーザは、社会的に不適応な振る舞いをすることなしに、コンピューティング装置のステータスを別々に判断し得る。
【０００６】
本発明の非限定的であり、非排他的な実施形態が、添付の図面を参照して詳述され、特に断りがない限り、様々な観点から同様の符号は同様の部分を示している。
【発明を実施するための最良の形態】
【０００７】
一部分を形成し、特別な例示的実施形態を示す添付図面を参照して、以下詳細に実施形態を説明する。しかしながら、実施形態は、様々異なる形態で実現されてよく、ここに述べられる実施形態に限定されるよう解釈されるべきでない。むしろ、これらの実施形態は、開示が徹底的かつ完全であり、範囲を完全に示唆するように提供される。実施形態は、方法、システムまたは装置として実施され得る。したがって、実施形態は、完全にハードウエア実現、ソフトウエア実現、またはハードウエアおよびソフトウエアの組み合わせによる実現の形態をとり得る。それゆえ、後述の詳細な説明は、限定する意味で取られるべきでない。
【０００８】
様々な実施形態の論理的オペレーションは、（１）コンピュータシステムで作動するコンピュータ実行ステップのシーケンスとして、および／または（２）コンピューティングシステム内の相互連結されたマシンモジュールとして実現される。本発明を実施するコンピューティングシステムのパフォーマンス要求に依存した選択事項である。したがって、実施形態の記述を決定する論理的オペレーションは、オペレーション、ステップまたはモジュールとして選択的にここで参照される。
【０００９】
図２は、ポジションに基づく触覚的報告を概観するシステムを示している。システム２００は、コンピューティング環境のモジュラ概観を示している。システム２００は、コンピューティング装置２０２を含み得る。コンピューティング装置２０２は、ステータスを変化させ、ステータスを報告し、および／または他の装置のステータスを報告するよう構成され得る、デスクトップコンピューティング装置、モバイルコンピューティング装置、ラップトップ、パーソナルデジタルアシスタント、ノートブックコンピュータ、電話、携帯電話、キーフォッブ（key fob）および／または任意の他のタイプのコンピューティング装置を含み得る。１つの局面において、コンピューティング装置２０２は、図１で例示されるようなコンピューティング装置１００を含む。
【００１０】
システム２００は、コンピューティング装置２０２のモジュラ概観を示している。システム２００は、ソフトウエアおよびハードウエアの組み合わせ、オペレーションシステムまたはそれらの組み合わせして統合されてよい。ここに参照される、ハードウエア、ソフトウエア、アプリケーション、および／またはプログラムは単一のエレメントとして統合されてよく、互いに通信する様々なエレメントを含み得る。ソフトウエアおよび／またはハードウエアエレメントは、例示的目的だけのために詳述され、複数のエレメントまたは単一のエレメントでいくらかの機能を実現するよう構成を限定するためのものでない。例えば、図２に描写されているように、システム２００は、ステータス検出モジュール２０４、アクチュエータ２０６および触覚的エレメント２０８を有するコンピューティング装置２０２を含んでいる。参照符号２０４から２０８は別々のプログラムおよび通信する別々のハードウエアを含み得る。参照符号２０４から２０８は単一のハードウエアエレメントまたは単一および複数のプログラムおよび／またはハードウエアエレメントの任意の組み合わせをも含み得る。
【００１１】
コンピューティング装置２０２は、コンピューティング装置２０２のステータスを検出するためのステータス検出モジュール２０４を含み得る。他の局面では、ステータス検出モジュール２０４は、コンピューティング装置２０２以外の装置のステータスを検出し得る。例えば、コンピューティング装置２０２は、１または複数の関連付けられたコンピューティング装置のステータスを検出するキーフォッブを含み得る。この方法で、関連付けられたコンピューティング装置は、キーフォッブにステータス情報を渡して報告を容易にする。
【００１２】
ステータスは、電話呼び出し、電子メールメッセージ、音声メッセージ、バッテリレベル、信号強さなどに関連付けられたステータスおよび／またはコンピューティング装置２０２が手助けする任意の他のステータスを含み得る。例えば、ステータス検出モジュール２０４は、メッセージが待機中であるか、バッテリレベルが低いことを検出し得る。ステータス検出モジュール２０４は、ステータスを検出するプログラム、ステータスと関連付けられ他信号を検出するサーボ機構、および／またはコンピューティング装置２０２のステータスを検出する任意の他の方法を含み得る。
【００１３】
コンピューティング装置２０２は、触覚的エレメントを作動するためのアクチュエータ２０６をも含み得る。アクチュエータ２０６は、機械的アクチュエータ、電気的アクチュエータ、磁気的アクチュエータ、および／または任意の他の種類のアクチュエータを含むことによって、触覚的エレメントの動きを容易にしている。第１のポジションおおび第２のポジションはここで説明されないが、触覚的エレメントは、３またはそれ以上のポジションの間で動くことによって、ステータスを示し得る。触覚的エレメントは、内側から外側のポジションに動くことによりステータスを示してもよい。触覚的エレメントは、上側から下側のポジションの間で動くことによりステータスを示してもよい。触覚的エレメントは、振動することによりステータスを示してもよい。典型的に、触覚的エレメントは、ポジションの任意の方向の任意の組の間で動くことによりステータスを示してもよい。
【００１４】
アクチュエータタイプの例示として、アクチュエータ２０６は、ポジションにおいて触覚的エレメントをバイアスするバイアスエレメントを有する機械的アクチュエータを含み得る。作動されると、ロックは触覚的エレメントを解除し、バイアスエレメントは触覚的エレメントを第１のポジションから第２のポジションへ移動させ得る。電気的アクチュエータは、第１のポジションから第２のポジションへ触覚的エレメントを移動させるサーボ機構を含み得る。サーボ機構は、触覚的エレメントを第２のポジションから第１のポジションへも移動させ得る。磁気的アクチュエータは、第１のポジションにおいて触覚的エレメントを保持する磁石（マグネット）を含み得る。作動されると、磁石は触覚的エレメントを解除し、バイアスエレメントは第１のポジションから第２のポジションへ触覚的エレメントを移動させ得る。
【００１５】
コンピューティング装置２０２は、触覚的エレメント２０８を含み得る。触覚的エレメント２０８は、ボタン、タブ、拡張などを含み得る。触覚的エレメント２０８は、キー、ボタン、ソフトキー、アンテナ、方向パッドなどのコンピューティング装置２０２に存在するエレメントを含み得る。触覚的エレメント２０８は、コンピューティング装置のステータスを示すよう機能し得るコンピュータ装置２０２の任意の可動エレメントを含み得る。触覚的エレメント２０８は単一の触覚的エレメントとして描写されているが、１つのステータスまたはいくらかのステータスを示すために、複数の触覚的エレメントが存在してよい。
【００１６】
図２に関連した例として、コンピューティング装置２０２は、テキストメッセージを受け取ってもよい。ステータス検出モジュール２０４は、テキストメッセージの受付を明らかにし、アクチュエータ２０６を動機付ける。アクチュエータ２０６は、テキストメッセージが受信されたことを示すポジションに触覚的エレメント２０８を位置させる。ポジションは、ボタンの外側ポジションを含み得る。ユーザは、別々にボタンに気づいて、ボタンが外側であるか否かを判断してよい。ユーザが要望した場合、ユーザは、触覚的エレメントをリセットするためにボタンを内側に押してよい。他の局面では、触覚的エレメントは、振動し得る。この方法において、ユーザは、ステータスが変化した後の任意の時間に、コンピューティング装置のステータスを検出し得る。
【００１７】
図３は、ポジションに基づく触覚的報告を容易にするためのコンピューティング装置３００の一例を示している。コンピューティング装置３００は、１または複数の、キーパッドボタン３０２、ソフトキー３０４、方向パッド３０６、および／またはアンテナ３０８を含み得る。コンピューティング装置３００は、触覚的エレメント３１０をも含んでいる。図３において、触覚的エレメント３１０は、（破線および実線で示される）第１のポジションから第２のポジションに移動することが描かれている。触覚的エレメント３１０は、単一のエレメントとして描かれているが、コンピューティング装置３００は、複数の触覚的エレメントを含み得る。さらに、キーパッドボタン３０２、ソフトキー３０４、方向パッド３０６、および／またはアンテナ３０８は触覚的エレメントでもあり得る。触覚的エレメントは、少なくとも２つのポジションの間を移動してステータスを示す機能の、コンピューティング装置３００の任意のエレメントを含み得る。
【００１８】
図４は、ポジションに基づく触覚的報告のための操作フロー図を示している。操作フロー４００は、開始操作４０２で始まり、判断操作４０４に進む。判断操作４０４において、新しいステータスを示すか否か判断する。新しいステータスは、電話信号の受付、メッセージの受付、ボイスメールの待機、電子メールの受付、テキストメッセージの受付、低バッテリ、弱い信号、ローミング信号などを含み得る。
【００１９】
新しいステータスを示すものでないと判断された場合、操作フロー４００は、バックアップループする。新しいステータスを示すと判断された場合、操作フロー４００は、操作４０６に続いていく。操作４０６において、触覚的エレメントは、第１のポジションから第２のポジションに移動されることによって、新しいステータスを示す。
【００２０】
判断操作４０８において、触覚的エレメントのポジションをリセットするか否かが判断される。触覚的エレメントのポジションをリセットしたと判断された場合、操作フロー４００は、バックアップループする。触覚的エレメントのポジションをリセットすることは、ユーザによって、手動で行われてもよい。他の局面において、触覚的エレメントのポジションをリセットすることは、アクチュエータおよび／またはサーボによって容易にされる。他の局面において、触覚的エレメントは、振動してステータスを示す。
【００２１】
判断操作４１２において、他のステータスが指示を必要としているか否かが判断される。前記の判断において否と判断された場合、操作４００は、終了操作４１４に続いていく。必要としていると判断された場合、操作フロー４００は、操作４０６に戻る。
【００２２】
図１を参照すると、本発明を実施する例示的なシステムは、コンピュータ装置１００などのコンピューティング装置を含んでいる。基本構成において、コンピューティング装置１００は、任意のタイプの備え付けのコンピューティング装置またはモバイルコンピューティング装置を含み得る。コンピューティング装置１００は、典型的に、少なくとも１つの処理ユニット１０２およびシステムメモリ１０４を含んでいる。システムメモリ１０４は、オペレーティングシステム１０５、および１つまたは複数のアプリケーション１０６を典型的に含んでおり、また、プログラムデータ１０７を含み得る。１つの実施形態において、アプリケーション１０６は、さらに、ポジションに基づく触覚的報告のためのアプリケーション１２０を含んでいる。この基本的構成は、はライン１０８内のコンポーネントによって、図１に図示されている。
【００２３】
コンピューティング装置１００は、追加の特徴または機能性をもまた備えてよい。例えば、コンピューティング装置１００は、（取り外し可能／取り外し不能な）追加のデータストレージ装置も含み得る。このような、追加のストレージは、取り外し可能なストレージ１０９および取り外し不能なストレージ１１０によって図１に図示されている。コンピューティング装置１００は、キーボード、マウス、ペン、音声入力装置、タッチ入力装置などの入力装置１１２も有し得る。ディスプレイ、スピーカ、プリンタなどの出力装置１１４もまた含まれ得る。
【００２４】
コンピューティング装置１００は、装置が他のコンピューティング装置１１８と、ネットワークまたは無線ネットワークを介して通信することができるように通信コネクション１１６を含んでいる。通信コネクション１１６は、通信媒体の例示である。通信媒体は、コンピュータ可読命令、データ構成、プログラムモジュール、または搬送波や他の伝送機構などの調整されたデータ信号における他のデータを典型的に包含し、および任意の情報伝送媒体を含んでいる。
【００２５】
本発明は、構造的特長および／または方法的ステップに特有の言葉で記載されてきたが、付属の特許請求の範囲で明らかにされた発明が、記述される特有の特徴またはステップに限定される必要がないことを理解されたい。むしろ、特有の特徴およびステップは、特許請求の範囲に記載された発明を実現する形式として開示される。本発明の多くの実施形態が本発明の精神および範囲から離れることなく実現され得るので、本発明は、添付の特許請求の範囲に存在する。
【図面の簡単な説明】
【００２６】
【図１】例示的なコンピューティング装置を示す図である。
【図２】ポジションに基づく触覚的報告を概観する１つの例示的システムを示す図である。
【図３】ポジションに基づく触覚的報告のための１つの例示的コンピューティング装置を示す図である。
【図４】ポジションに基づく触覚的報告のための操作フロー図である。
【図１】
0004653237.tif 000002
【図２】
0004653237.tif 000003
【図３】
0004653237.tif 000004
【図４】
0004653237.tif 000005